(57)【要約】【課題】本発明は、利用者が自身にとって必要な保険を契約することが容易なコンピュータシステム、保険自動契約方法及びプログラムを提供することを目的とする。【解決手段】ユーザの位置情報を利用するコンピュータシステムは、前記位置情報を取得し、取得した前記位置情報に基づいて、前記ユーザが位置する施設及び／又は地域を特定し、特定した前記施設及び／又は地域に適した保険を選択し、選択した前記保険を契約する。また、コンピュータシステムは、契約した保険に関する情報をユーザに通知する。また、コンピュータシステムは、選択した保険の契約の要否を、ユーザに問い合わせ、問い合わせの結果に基づいて、保険を契約する。【選択図】図１
2020179010.tif 000002
【特許請求の範囲】
【請求項１】
ユーザの位置情報を利用するコンピュータシステムであって、
前記位置情報を取得する取得手段と、
取得した前記位置情報に基づいて、前記ユーザが位置する施設及び／又は地域を特定する特定手段と、
特定した前記施設及び／又は地域に適した保険を選択する選択手段と、
選択した前記保険を契約する契約手段と、
を備えることを特徴とするコンピュータシステム。
【請求項２】
契約した前記保険に関する情報を、ユーザに通知する通知手段と、
をさらに備えることを特徴とする請求項１に記載のコンピュータシステム。
【請求項３】
選択した前記保険の契約の要否を、ユーザに問い合わせる問い合わせ手段と、
をさらに備え、
前記契約手段は、前記問い合わせの結果に基づいて、前記保険を契約する、
ことを特徴とする請求項１に記載のコンピュータシステム。
【請求項４】
前記取得手段は、前記位置情報を所定時間毎に取得し、
前記特定手段は、取得した前記位置情報と当該位置情報の変化量とから前記ユーザの状況を特定し、
前記選択手段は、特定した前記ユーザの状況に適した保険を選択する、
ことを特徴とする請求項１に記載のコンピュータシステム。
【請求項５】
ユーザの位置情報を利用するコンピュータシステムが実行する保険自動契約方法であって、
前記位置情報を取得するステップと、
取得した前記位置情報に基づいて、前記ユーザが位置する施設及び／又は地域を特定するステップと、
特定した前記施設及び／又は地域に適した保険を選択するステップと、
選択した前記保険を契約するステップと、
を備えることを特徴とする保険自動契約方法。
【請求項６】
ユーザの位置情報を利用するコンピュータシステムに、
前記位置情報を取得するステップ、
取得した前記位置情報に基づいて、前記ユーザが位置する施設及び／又は地域を特定するステップ、
特定した前記施設及び／又は地域に適した保険を選択するステップ、
選択した前記保険を契約するステップ、
を実行させるためのコンピュータ読み取り可能なプログラム。
【発明の詳細な説明】
【技術分野】
【０００１】
本発明は、ユーザの位置情報を利用するコンピュータシステム、保険自動契約方法及びプログラムに関する。
【背景技術】
【０００２】
従来、保険会社は、様々な保険を提供している。利用者は、自身の行動内容や必要性に応じて、予め自身にとって適切な保険を契約している。特に、近年、カーシェア等の特定のタイミングで特定の保険を必要とする事態が増加しており、利用者は、この特定のタイミングで適切な保険を選択する必要性が増加している。【０００３】
このような特定のタイミングにおける保険の選択において、例えば、利用者が車両の運転開始時に、保険契約を開始する構成が開示されている（特許文献１参照）。
【先行技術文献】
【特許文献】
【０００４】
【特許文献１】特開２０１８−１２０５７７号公報
【発明の概要】
【発明が解決しようとする課題】
【０００５】
しかしながら、特許文献１の構成では、対象となる保険が、自動車保険に限定されており、それ以外の保険に対して有効なものではなく、汎用性が低かった。そのため、利用者が自身にとって必要な保険を契約することが困難となるおそれがあった。【０００６】
本発明は、利用者が自身にとって必要な保険を契約することが容易なコンピュータシステム、保険自動契約方法及びプログラムを提供することを目的とする。
【課題を解決するための手段】
【０００７】
本発明では、以下のような解決手段を提供する。【０００８】
本発明は、ユーザの位置情報を利用するコンピュータシステムであって、
前記位置情報を取得する取得手段と、
取得した前記位置情報に基づいて、前記ユーザが位置する施設及び／又は地域を特定する特定手段と、
特定した前記施設及び／又は地域に適した保険を選択する選択手段と、
選択した前記保険を契約する契約手段と、
を備えることを特徴とするコンピュータシステムを提供する。【０００９】
本発明によれば、ユーザの位置情報を利用するコンピュータシステムは、前記位置情報を取得し、取得した前記位置情報に基づいて、前記ユーザが位置する施設及び／又は地域を特定し、特定した前記施設及び／又は地域に適した保険を選択し、選択した前記保険を契約する。【００１０】
本発明は、システムのカテゴリであるが、方法及びプログラム等の他のカテゴリにおいても、そのカテゴリに応じた同様の作用・効果を発揮する。
【発明の効果】
【００１１】
本発明によれば、利用者が自身にとって必要な保険を契約することが容易なコンピュータシステム、保険自動契約方法及びプログラムを提供することが可能となる。
【図面の簡単な説明】
【００１２】
【図１】図１は、保険自動契約システム１の概要を示す図である。
【図２】図２は、保険自動契約システム１の全体構成図である。
【図３】図３は、ユーザ端末１００が実行する第一の保険自動契約処理のフローチャートを示す図である。
【図４】図４は、ユーザ端末１００が実行する延長処理のフローチャートを示す図である。
【図５】図５は、ユーザ端末１００が実行する第二の保険自動契約処理のフローチャートを示す図である。
【発明を実施するための形態】
【００１３】
以下、本発明を実施するための最良の形態について図を参照しながら説明する。なお、これはあくまでも例であって、本発明の技術的範囲はこれに限られるものではない。
【００１４】
［保険自動契約システム１の概要］
本発明の好適な実施形態の概要について、図１に基づいて説明する。図１は、本発明の好適な実施形態である保険自動契約システム１の概要を説明するための図である。保険自動契約システム１は、利用者であるユーザが所持するユーザ端末１００から構成され、ユーザの位置情報を利用するコンピュータシステムである。
【００１５】
なお、保険自動契約システム１は、ユーザ端末１００の代わりに、コンピュータにより構成されてもよい。この場合、コンピュータは、ユーザ端末１００から必要な情報を取得し、ユーザ端末１００が実行する各種処理を実行する構成となる。このコンピュータは、１台のコンピュータで実現されてもよいし、クラウドコンピュータのように、複数のコンピュータで実現されてもよい。
【００１６】
ユーザ端末１００は、コンピュータ、ＧＰＳ（Ｇｌｏｂａｌ  Ｐｏｓｉｔｉｏｎｉｎｇ  Ｓｙｓｔｅｍ）、ルータ等のアクセスポイント等と、公衆回線網やローカルエリアネットワーク等を介して、データ通信可能に接続されており、必要なデータの送受信を実行する。
【００１７】
ユーザ端末１００は、自身の位置情報を、ユーザの位置情報として取得する。ユーザ端末１００は、例えば、ＧＰＳから自身の現在位置を示す位置情報（例えば、緯度及び経度）を取得する。ユーザ端末１００は、取得した自身の位置情報を、ユーザの位置情報として判断する。また、ユーザ端末１００は、例えば、自身が接続するアクセスポイントの固有情報（例えば、ＩＰアドレス、ＭＡＣアドレス、製造番号）を取得する。ユーザ端末１００は、取得した固有情報を、ユーザの位置情報として判断する。
【００１８】
なお、ユーザ端末１００は、自身の位置情報を所定時間毎（例えば、数分毎、３０分毎、１時間毎）に取得する構成であってもよい。この場合、ユーザ端末１００は、取得した時間毎の位置情報の変化量を判断し、後述する処理に際して、この判断した変化量を加味することも可能である。
【００１９】
ユーザ端末１００は、取得した位置情報に基づいて、ユーザが位置する施設及び／又は地域を特定する。ユーザ端末１００は、例えば、予め施設や地域の位置情報やこの施設や地域に設置されたアクセスポイントの固有情報と、施設や地域とを対応付けて記録した施設・地域データベースを参照することにより、ユーザが位置する施設及び／又は地域を特定する。ユーザ端末１００は、ＧＰＳから取得した位置情報と、施設・地域データベースとに基づいて、ユーザが位置する施設及び／又は地域を特定する。また、ユーザ端末１００は、アクセスポイントから取得した固有情報と、施設・地域データベースとに基づいて、ユーザが位置する施設及び／又は地域を特定する。
【００２０】
施設は、例えば、空港、港湾、店舗、スポーツ施設である。また、地域は、例えば、国、自治体、都道府県、市区町村である。
【００２１】
なお、ユーザ端末１００は、取得した位置情報と、上述した位置情報の変化量とに基づいて、さらに、ユーザの状況を特定する構成であってもよい。ユーザの状況とは、例えば、車両で移動中である。
【００２２】
ユーザ端末１００は、特定した施設及び／又は地域に適した保険を選択する。ユーザ端末１００は、予め様々な保険と、施設や地域とを対応付けて記録した保険データベースを参照することにより、この施設及び／又は地域に適した保険を選択する。ユーザ端末１００は、特定した施設及び／又は地域と、保険データベースとに基づいて、ユーザに適した保険を選択する。
【００２３】
保険の選択例について説明する。
【００２４】
ユーザ端末１００は、空港の国際ターミナルを特定した場合、保険データベースを参照し、この国際線ターミナルに対応付けられた海外旅行保険を選択する。ユーザ端末１００は、空港の国内線ターミナルを特定した場合、保険データベースを参照し、この国内線ターミナルに対応付けられた国内旅行保険を選択する。ユーザ端末１００は、スポーツ施設を特定した場合、保険データベースを参照し、このスポーツ施設に対応付けられたスポーツ安全保険を選択する。ユーザ端末１００は、国を特定した場合、かつこの国が、外務省等が所定の閾値以上の危険情報を公表する国である場合、保険データベースを参照し、この国に対応付けられたテロ保険を選択する。ユーザ端末１００は、カーシェアの駐車場を特定した場合、保険データベースを参照し、この駐車場に対応付けられた日割りの自動車保険を選択する。
【００２５】
なお、ユーザ端末１００は、特定したユーザの状況に適した保険を選択する構成であってもよい。この場合、ユーザ端末１００は、例えば、予め様々な保険と、ユーザの状況とを対応付けて記録した保険データベースを参照することにより、このユーザの状況に適した保険を選択する。ユーザ端末１００は、特定したユーザの状況と、保険データベースとに基づいて、ユーザの状況に適した保険を選択する。
【００２６】
ユーザ端末１００は、選択した保険を契約する。ユーザ端末１００は、例えば、選択した保険を提供する保険会社と、必要なデータの送受信を実行し、この保険を契約する。
【００２７】
なお、ユーザ端末１００は、この選択した保険の契約の要否を、ユーザに問い合わせる構成も可能である。例えば、ユーザ端末１００は、選択した保険の名称、概要、内容、料金、有効期間等の保険情報と、この保険の契約の要否の入力を促す通知とを自身の表示部に表示することや自身のスピーカ等の音声部から放音することを実行する。ユーザ端末１００は、この保険の契約の要否の入力を、ユーザからのタップ操作等の操作入力や音声操作等の音声入力により受け付けることになる。このとき、ユーザ端末１００は、保険の契約が必要である旨の入力を受け付けた場合、保険の契約に必要な処理を実行する。一方、ユーザ端末１００は、保険の契約が必要でない旨の入力を受け付けた場合、保険の契約に必要な処理を実行しない。
【００２８】
また、ユーザ端末１００は、契約した保険に関する情報を、ユーザに通知する構成も可能である。例えば、ユーザ端末１００は、保険情報と、この保険を契約したことを示す通知とを自身の表示部に表示することや自身の音声部から放音することを実行する。
【００２９】
次に、保険自動契約システム１が実行する処理の概要について説明する。
【００３０】
ユーザ端末１００は、自身の位置情報を、ユーザの位置情報として取得する（ステップＳ０１）。ユーザ端末１００は、例えば、ＧＰＳから取得した自身の位置情報や、自身が接続するアクセスポイントの固有情報を、ユーザの位置情報として取得する。
【００３１】
ユーザ端末１００は、取得した位置情報に基づいて、ユーザが位置する施設及び／又は地域を特定する（ステップＳ０２）。ユーザ端末１００は、取得したユーザの位置情報と、施設・地域データベースとに基づいて、ユーザが位置する施設及び／又は地域を特定する。
【００３２】
ユーザ端末１００は、特定した施設及び／又は地域に適した保険を選択する（ステップＳ０３）。ユーザ端末１００は、特定した施設及び／又は地域と、保険データベースとに基づいて、この保険を選択する。
【００３３】
ユーザ端末１００は、選択した保険を契約する（ステップＳ０４）。
【００３４】
以上が、保険自動契約システム１が実行する処理の概要である。
【００３５】
［保険自動契約システム１のシステム構成］
図２に基づいて、本発明の好適な実施形態である保険自動契約システム１のシステム構成について説明する。図２は、本発明の好適な実施形態である保険自動契約システム１のシステム構成を示す図である。図２において、保険自動契約システム１は、ユーザ端末１００から構成され、ユーザの位置情報を利用するコンピュータシステムである。
【００３６】
ユーザ端末１００は、コンピュータや、ＧＰＳや、ルータ等のアクセスポイント等と、公衆回線網やローカルエリアネットワーク等を介して、データ通信可能に接続されており、必要なデータの送受信を実行する。
【００３７】
なお、保険自動契約システム１は、図示していない、コンピュータ、ＧＰＳ、アクセスポイント等の他の端末や装置類が含まれていてもよい。
【００３８】
また、保険自動契約システム１は、ユーザ端末１００の代わりに、コンピュータにより構成されていてもよい。この場合、コンピュータは、ユーザ端末１００から必要な情報を取得し、ユーザ端末１００が実行する各種処理を実行する構成となる。このコンピュータは、１台のコンピュータで実現されてもよいし、クラウドコンピュータのように、複数のコンピュータで実現されてもよい。
【００３９】
ユーザ端末１００は、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部として、他の端末や装置等と通信可能にするためのデバイス、例えば、ＩＥＥＥ８０２．１１に準拠したＷｉ―Ｆｉ（Ｗｉｒｅｌｅｓｓ―Ｆｉｄｅｌｉｔｙ）対応デバイス等を備える。また、ユーザ端末１００は、記録部として、ハードディスクや半導体メモリ、記録媒体、メモリカード等によるデータのストレージ部を備える。また、ユーザ端末１００は、処理部として、各種処理を実行する各種デバイス等を備える。
【００４０】
ユーザ端末１００において、制御部が所定のプログラムを読み込むことにより、通信部と協働して、位置情報取得モジュール１１０、保険契約モジュール１１１を実現する。また、ユーザ端末１００において、制御部が所定のプログラムを読み込むことにより、記録部と協働して、記録モジュール１２０を実現する。また、ユーザ端末１００において、制御部が所定のプログラムを読み込むことにより、処理部と協働して、場所特定モジュール１３０、保険選択モジュール１３１、要否問い合わせモジュール１３２、要否判断モジュール１３３、通知モジュール１３４、期限判断モジュール１３５、場所判断モジュール１３６、変化量特定モジュール１３７、状況特定モジュール１３８を実現する。
【００４１】
［第一の保険自動契約処理］
図３に基づいて、保険自動契約システム１が実行する第一の保険自動契約処理について説明する。図３は、ユーザ端末１００が実行する第一の保険自動契約処理のフローチャートを示す図である。上述した各モジュールが実行する処理について、本処理に併せて説明する。
【００４２】
位置情報取得モジュール１１０は、自身の位置情報を、ユーザの位置情報として取得する（ステップＳ１０）。ステップＳ１０において、位置情報取得モジュール１１０は、ＧＰＳ等から、自身の現在位置を示す位置情報（例えば、緯度及び経度）を取得する。また、位置情報取得モジュール１１０は、自身が接続するアクセスポイントの固有情報（例えば、ＩＰアドレス、ＭＡＣアドレス、製造番号）を自身の位置情報として取得する。ユーザ端末１００は、取得した自身の位置情報を、ユーザの位置情報として以下の処理に際して用いる。位置情報取得モジュール１１０は、ユーザの位置情報を取得することにより、ユーザの現在位置に関する情報を取得することになる。位置情報取得モジュール１１０は、ユーザの位置情報を取得した結果、ユーザが現在位置する場所（施設及び／又は地域）に関する情報を取得することにもなる。
【００４３】
場所特定モジュール１３０は、取得したユーザの位置情報に基づいて、ユーザが現在位置する場所を特定する（ステップＳ１１）。ステップＳ１１において、場所特定モジュール１３０は、予め記録モジュール１２０に記録した施設及び地域と、これらの位置情報やこれらに設置されたアクセスポイントの固有情報とを対応付けて登録した施設・地域データベースを参照することにより、この場所を特定する。この施設・地域データベースにおいて、施設には、さらに地域が対応付けられている。すなわち、施設・地域データベースは、地域と、位置情報とが対応付けられたものであり、施設と、地域と、位置情報とが対応付けられたものである。場所特定モジュール１３０は、取得したユーザの位置情報に基づいて、施設・地域データベースに登録されたこの位置情報に対応付けられた施設及び／又は地域を特定する。
【００４４】
場所特定モジュール１３０が特定する施設は、例えば、空港、港湾、店舗、スポーツ施設である。場所特定モジュール１３０は、ＧＰＳから取得した位置情報に基づいて、施設・地域データベースに登録された位置情報のうち、この取得した位置情報と一致又は所定の範囲内にあるものに対応付けられた施設を、ユーザが現在位置する場所として特定する。場所特定モジュール１３０は、自身が接続するアクセスポイントから取得した固有情報に基づいて、施設・地域データベースに登録された固有情報のうち、この取得した固有情報と一致するものに対応付けられた施設を、ユーザが現在位置する場所として特定する。
【００４５】
また、場所特定モジュール１３０が特定する地域は、例えば、国、自治体、都道府県、市区町村である。場所特定モジュール１３０は、ＧＰＳから取得した位置情報に基づいて、施設・地域データベースに登録された位置情報のうち、この取得した位置情報と一致又は所定の範囲内にあるものに対応付けられた地域を、ユーザが現在位置する場所として特定する。場所特定モジュール１３０は、自身が接続するアクセスポイントから取得した固有情報に基づいて、施設・地域データベースに登録された固有情報のうち、この取得した固有情報と一致するものに対応付けられた地域を、ユーザが現在位置する場所として特定する。
【００４６】
また、場所特定モジュール１３０は、取得したユーザの位置情報に基づいて、施設・地域データベースに登録された位置情報のうち、この取得した位置情報と一致する施設及び地域を、ユーザが現在位置する場所として特定する。場所特定モジュール１３０は、ＧＰＳから取得した位置情報に基づいて、施設・地域データベースに登録された位置情報のうち、この取得した位置情報と一致又は所定の範囲内にあるものに対応付けられた施設及び地域を、ユーザが現在位置する場所として特定する。場所特定モジュール１３０は、自身が接続するアクセスポイントから取得した固有情報に基づいて、施設・地域データベースに登録された固有情報のうち、この取得した固有情報と一致するものに対応付けられた施設及び地域を、ユーザが現在位置する場所として特定する。
【００４７】
なお、場所特定モジュール１３０は、記録モジュール１２０が記録する施設・地域データベースを参照する代わりに、外部装置が記録する施設・地域データベースを参照する構成であってもよい。
【００４８】
保険選択モジュール１３１は、特定した場所に適した保険を選択する（ステップＳ１２）。ステップＳ１２において、保険選択モジュール１３１は、予め記録モジュール１２０に記録した施設及び地域と、この施設や地域に適した保険とを対応付けて登録した保険データベースを参照することにより、保険を選択する。保険選択モジュール１３１は、特定した施設及び／又は地域に基づいて、保険データベースに登録された施設や地域のうち、この特定した施設及び／又は地域に対応付けられた保険を、特定した場所に適した保険として選択する。
【００４９】
なお、記録モジュール１２０は、この保険データベースにおいて、地域に関して、外務省等が公表する危険情報が所定の閾値以上であるか否かの判断結果も併せて登録しておくことも可能である。この場合、保険選択モジュール１３１は、特定の保険（例えば、テロ保険）の選択時に、この判断結果を加味することになる。保険選択モジュール１３１は、特定した施設及び／又は地域に基づいて、保険データベースに登録された施設や地域のうちこの特定した施設及び／又は地域に対応付けられた保険を選択するとともに、この判断結果が所定の閾値以上である場合、特定の保険をさらに選択する。保険選択モジュール１３１は、特定した施設及び／又は地域に基づいて、保険データベースに登録された施設や地域のうちこの特定した施設及び／又は地域に対応付けられた保険を選択し、この判断結果が所定の閾値以上ではない場合、特定の保険をさらに選択せず、特定した施設及び／又は地域に基づいた保険のみを選択する。
【００５０】
保険の選択例について説明する。
【００５１】
保険選択モジュール１３１は、施設として、空港の国際線ターミナルを特定した場合、保険データベースを参照し、この国際線ターミナルに対応付けられた海外旅行保険を選択する。また、保険選択モジュール１３１は、施設として、空港の国内線ターミナルを特定した場合、保険データベースを参照し、この国内線ターミナルに対応付けられた国内旅行保険を選択する。また、保険選択モジュール１３１は、施設として、スポーツ施設を特定した場合、保険データベースを参照し、このスポーツ施設に対応付けられたスポーツ安全保険を選択する。
【００５２】
保険選択モジュール１３１は、地域として、国を特定した場合、保険データベースを参照し、この国に対応付けられた海外旅行保険を選択する。また、保険選択モジュール１３１は、地域として国を特定した場合、保険データベースを参照し、この国に対応付けられた海外旅行保険を選択するとともに、この国に関して、危険情報が所定の閾値以上である場合、テロ保険をさらに選択する。また、保険選択モジュール１３１は、地域として国を特定した場合、保険データベースを参照し、この国に対応付けられた海外旅行保険を選択し、この国に関して、危険情報が所定の閾値以上ではない場合、特定の保険を選択しない。
【００５３】
保険選択モジュール１３１は、施設及び地域として、国内のカーシェアの駐車場を特定した場合、保険データベースを参照し、このカーシェアの駐車場に対応付けられた日割りの自動車保険を選択する。
【００５４】
要否問い合わせモジュール１３２は、選択した保険の要否を、ユーザに問い合わせる（ステップＳ１３）。ステップＳ１３において、要否問い合わせモジュール１３２は、選択した保険の名称、概要、料金、有効期間等の保険情報を通知するとともに、この保険の要否の入力を受け付ける。要否問い合わせモジュール１３２は、保険情報を、表示部に表示又は音声部から放音の何れか又は双方を実行することにより、ユーザに通知する。また、要否問い合わせモジュール１３２は、この保険の要否の入力を受け付ける画面を表示部に表示し、この画面に対するタップ操作等の操作入力の受け付けや、この保険の要否の入力を促す音声を音声部から放音し、この音声に対する音声入力の受け付けを実行する。
【００５５】
なお、要否問い合わせモジュール１３２は、上述したステップＳ１２の処理において、複数の保険を選択していた場合、其々の保険の要否を、ユーザに問い合わせることになる。この場合、要否問い合わせモジュール１３２は、其々の保険を所定の順番（例えば、ユーザの以後の行動に対しての関連性が高い順、料金順、名称順）に基づいてユーザに問い合わせる。
【００５６】
また、要否問い合わせモジュール１３２は、所定時間（例えば、数分、１０分）経過しても保険の要否の入力を受け付けなかった場合、上述したステップＳ１３の処理を再度実行し、選択した保険の要否を、ユーザに再度問い合わせる。このとき、要否問い合わせモジュール１３２は、所定回数ユーザに問い合わせた結果、保険の要否の入力を受け付けなかった場合、所定の条件を満たす保険については、後述するステップＳ１５の処理を実行する。この場合における所定の条件とは、例えば、一般的に加入している割合が低いもの、保険料が低額なものが挙げられる。これは、このユーザがこのような条件を満たす保険に加入している割合が低いと考えられるため、ユーザに対して過度な負担を強いるものではないと考えられるため、ユーザに対して有効な保険となる可能性が高いためである。また、要否問い合わせモジュール１３２は、所定回数ユーザに問い合わせた結果、保険の要否の入力を受け付けなかった場合、かつ上述した所定の条件を満たさない保険については、後述するステップＳ１５の処理を実行せず、本処理を終了することになる。
【００５７】
要否判断モジュール１３３は、問い合わせの結果に基づいて、保険の要否を判断する（ステップＳ１４）。ステップＳ１４において、要否判断モジュール１３３は、ユーザからの操作入力や音声入力の結果に基づいて、保険の要否を判断する。
【００５８】
なお、要否判断モジュール１３３は、上述したステップＳ１３の処理において、複数の保険の要否を問い合わせていた場合、其々の保険に対して、ユーザからの操作入力や音声入力の結果に基づいて、保険の要否を判断することになる。
【００５９】
ステップＳ１４において、要否判断モジュール１３３は、問い合わせの結果、保険が必要でないと判断した場合（ステップＳ１４  ＮＯ）、すなわち、保険が必要でない旨の入力を受け付けた場合、ユーザ端末１００は、本処理を終了する。
【００６０】
一方、ステップＳ１４において、要否判断モジュール１３３は、問い合わせの結果、保険が必要であると判断した場合（ステップＳ１４  ＹＥＳ）、すなわち、保険が必要である旨の入力を受け付けた場合、保険契約モジュール１１１は、選択した保険を契約する（ステップＳ１５）。ステップＳ１５において、保険契約モジュール１１１は、選択した保険を提供する保険会社と、この保険を契約するために必要なデータの送受信を行い、保険の契約を実行する。保険の契約に関する処理については、一般的な処理であれば問題がないため、詳細な説明は省略する。
【００６１】
通知モジュール１３４は、契約した保険に関する情報を、ユーザに通知する（ステップＳ１６）。ステップＳ１６において、通知モジュール１３４は、契約した保険の保険情報及びこの保険を契約したことを示す通知を、自身の表示部に表示又は音声部から放音の何れか又は双方を実行する。
【００６２】
以上が、第一の保険自動契約処理である。
【００６３】
［延長処理］
図４に基づいて、保険自動契約システム１が実行する延長処理について説明する。図４は、ユーザ端末１００が実行する延長処理のフローチャートを示す図である。上述した各モジュールが実行する処理について、本処理に併せて説明する。なお、上述した処理と同様の処理については、その詳細な説明は省略する。
【００６４】
期限判断モジュール１３５は、上述したステップＳ１５の処理により契約した保険の有効期限が満了したか否かを判断する（ステップＳ２０）。ステップＳ２０において、期限判断モジュール１３５は、契約開始時点から所定時間（例えば、２４時間）経過したか否か、契約した保険に設定された契約期限が満了したか否か等に基づいて、この判断を実行する。
【００６５】
なお、この所定時間は、上述したステップＳ１５の処理により契約した保険に設定された有効期限であればよい。
【００６６】
ステップＳ２０において、期限判断モジュール１３５は、満了していないと判断した場合（ステップＳ２０  ＮＯ）、本処理を終了する。
【００６７】
なお、この場合、通知モジュール１３４は、有効期限が所定期間（例えば、残り期間が数時間、１時間）以下となっている場合、ユーザにその旨の通知を行う構成であってもよい。このとき、ユーザ端末１００は、この通知を行うとともに、上述したステップＳ１３及びＳ１４の処理を実行し、この処理の結果に基づいて、後述するステップＳ２４の処理を実行する構成とすることも可能である。
【００６８】
一方、ステップＳ２０において、期限判断モジュール１３５は、満了したと判断した場合（ステップＳ２０  ＹＥＳ）、位置情報取得モジュール１１０は、ユーザの位置情報を取得する（ステップＳ２１）。ステップＳ２１の処理は、上述したステップＳ１０の処理と同様である。
【００６９】
場所特定モジュール１３０は、取得したユーザの位置情報に基づいて、ユーザが現在位置する場所を特定する（ステップＳ２２）。ステップＳ２２のよりは、上述したステップＳ１１の処理と同様である。
【００７０】
場所判断モジュール１３６は、上述したステップＳ１５の処理により保険を契約した際に、上述したステップＳ１１の処理により特定した場所と、今回特定した場所とが相違しているか否かを判断する（ステップＳ２３）。ステップＳ２３において、場所判断モジュール１３６は、契約した保険と、特定した場所とに基づいて、この判断を実行することになる。その結果、ユーザ端末１００は、保険を延長又は再契約する必要性の有無を判断することになる。すなわち、ユーザ端末１００は、海外旅行保険や国内旅行保険や海外旅行保険及びテロ保険を契約した際、旅行先から地元に戻ってきたか否かを判断することになる。同様に、ユーザ端末１００は、スポーツ安全保険を契約した際、スポーツ施設を利用し続けているか否かを判断し、日割りの自動車保険を契約した際、カーシェアを利用し続けているか否かを判断することになる。
【００７１】
ステップＳ２３の処理における判断例について説明する。
【００７２】
場所判断モジュール１３６は、海外旅行保険を契約した際、特定した場所が国際線ターミナルである場合、今回特定した場所が、この国際線ターミナルとは異なる地域や異なる地域における施設であるか否かを判断する。また、場所判断モジュール１３６は、国内旅行保険を契約した際、特定した場所が国内線ターミナルである場合、今回特定した場所が、この国内線ターミナルとは異なる地域や異なる地域における施設であるか否かを判断する。また、場所判断モジュール１３６は、スポーツ安全保険を契約した際、特定した場所が、前回の施設と同様にスポーツ施設であるか否かを判断する。
【００７３】
なお、本例における国際線ターミナルや国内線ターミナルとは異なる地域や異なる地域における施設とは、旅行先ではなく、ユーザの地元における地域や施設を意味する。
【００７４】
場所判断モジュール１３６は、海外旅行保険及びテロ保険を契約した際、特定した場所が国である場合、今回特定した場所が、この国であるか否か、他の国であるか否かを判断する。場所判断モジュール１３６は、海外旅行保険を契約した際、特定した場所が国である場合、今回特定した場所が、この国であるか否か、他の国であるか否かを判断する。
【００７５】
場所判断モジュール１３６は、日割りの自動車保険を契約した際、特定した場所が、カーシェアの駐車場である場合、このカーシェアの駐車場や別のカーシェアの駐車場であるか否かを判断する。
【００７６】
ステップＳ２３において、場所判断モジュール１３６は、相違していると判断した場合（ステップＳ２３  ＹＥＳ）、ユーザ端末１００は、契約した保険の延長は不要であると判断し、本処理を終了する。
【００７７】
一方、ステップＳ２３において、場所判断モジュール１３６は、相違していないと判断した場合（ステップＳ２３  ＮＯ）、保険契約モジュール１１１は、上述したステップＳ１５の処理により契約した保険を再度契約する（ステップＳ２４）。ステップＳ２４の処理は、上述したステップＳ１５の処理と同様である。
【００７８】
なお、ユーザ端末１００は、上述したステップＳ１３及びＳ１４の処理と同様に、この保険の再契約の要否をユーザに問い合わせるとともに、保険の要否の判断を実行する構成も可能である。この場合、ユーザ端末１００は、上述したステップＳ２３の処理とＳ２４の処理との間に、この処理を実行することになる。
【００７９】
また、ユーザ端末１００は、上述したステップＳ１６の処理と同様に、この再契約した保険に関する情報を、ユーザに通知する構成も可能である。この場合、ユーザ端末１００は、上述したステップＳ２４の処理を実行後に、この処理を実行することになる。
【００８０】
以上が、延長処理である。
【００８１】
［第二の保険自動契約処理］
図５に基づいて、保険自動契約システム１が実行する第二の保険自動契約処理について説明する。図５は、ユーザ端末１００が実行する第二の保険自動契約処理のフローチャートを示す図である。上述した各モジュールが実行する処理について、本処理に併せて説明する。なお、上述した処理と同様の処理については、その詳細な説明は省略する。
【００８２】
位置情報取得モジュール１１０は、自身の位置情報を、ユーザの位置情報として取得する（ステップＳ３０）。ステップＳ３０の処理は、上述したステップＳ１０の処理と同様である。
【００８３】
場所特定モジュール１３０は、取得したユーザの位置情報に基づいて、ユーザが現在位置する場所を特定する（ステップＳ３１）。ステップＳ３１の処理は、上述したステップＳ１１の処理と同様である。
【００８４】
場所判断モジュール１３０は、特定した場所が、所定の条件を満たす場所であるか否かを判断する（ステップＳ３２）。ステップＳ３２において、所定の条件を満たす場所とは、例えば、車両、自転車、バイク等のユーザの移動手段を一時的に提供する場所である。場所判断モジュール１３０は、特定した場所が、このような場所であるか否かを判断する。
【００８５】
ステップＳ３２において、場所判断モジュール１３０は、特定した場所が、所定の条件を満たす場所ではないと判断した場合（ステップＳ３２  ＮＯ）、本処理を終了する。この場合、実際の処理としては、上述したステップＳ１２以降の処理を実行することになるが、本例では、記載を簡略化するために説明を省略する。
【００８６】
一方、ステップＳ３２において、場所判断モジュール１３０は、特定した場所が、所定の条件を満たす場所であると判断した場合（ステップＳ３２  ＹＥＳ）、位置情報取得モジュール１１０は、所定時間毎に自身の位置情報をユーザの位置情報として取得する（ステップＳ３３）。ステップＳ３３の処理は、上述したステップＳ３０の処理を所定時間毎（例えば、数分毎、３０分毎、１時間毎）に繰り返すものである。位置情報取得モジュール１１０は、其々の場合におけるユーザの位置情報を取得する。
【００８７】
変化量特定モジュール１３７は、取得した其々のユーザの位置情報に基づいて、このユーザの位置情報の変化量を特定する（ステップＳ３４）。ステップＳ３４において、ユーザの位置情報の変化量とは、例えば、ユーザの移動経路、単位時間当たりの移動速度や移動距離である。変化量特定モジュール１３７は、上述したステップＳ３１の処理により特定した場所と、上述したステップ３３の処理により取得した其々のユーザの位置情報とに基づいて、特定した場所からのこのユーザの位置情報の変化量を特定することになる。
【００８８】
状況特定モジュール１３８は、取得したユーザの位置情報と、ユーザの位置情報の変化量とに基づいて、このユーザの状況を特定する（ステップＳ３５）。ステップＳ３５において、ユーザの状況とは、例えば、車両、自転車、バイク等の運転中、徒歩で移動中である。状況特定モジュール１３８は、上述したステップＳ３１の処理により特定した場所（上述したステップＳ３０の処理により取得したユーザの位置情報）と、上述したステップＳ３４の処理により特定したユーザの位置情報の変化量とに基づいて、このユーザの状況を特定する。
【００８９】
状況特定モジュール１３７が実行するユーザの状況の特定の例について説明する。
【００９０】
取得したユーザの位置情報が、カーシェアの駐車場であり、特定した変化量が、移動経路及び移動速度である場合について説明する。状況特定モジュール１３７は、この移動経路が道路であるか否かと、移動速度が車両の移動速度によるものであるか否か（例えば、徒歩の移動速度よりも速い移動速度であるか否か、一般的な車両に移動速度であるか否か、移動経路が道路である場合に、この道路の制限速度に近い移動速度であるか）とに基づいて、ユーザの状況を特定する。状況特定モジュール１３７は、移動経路が道路であり、移動速度が車両の移動速度である場合、このユーザの状況を、車両を運転中であるものと特定する。
【００９１】
なお、状況特定モジュール１３７は、上述した例における自転車やバイクであっても、車両の場合と同様に、取得したユーザの位置情報が、自転車やバイクのレンタル場所である場合、この移動経路が道路であるか否かと、移動速度が自転車やバイクの移動速度によるものであるか否かとに基づいてユーザの状況を特定することになる。
【００９２】
また、状況特定モジュール１３７は、移動速度のみにより、ユーザの状況を特定する構成であってもよい。
【００９３】
保険選択モジュール１３１は、特定したユーザの状況に適した保険を選択する（ステップＳ３６）。ステップＳ３６において、保険選択モジュール１３１は、予め記録モジュール１２０に記録したユーザの状況と、このユーザの状況に適した保険とを対応付けて登録した保険データベースを参照することにより、保険を選択する。この保険データベースは、上述したステップＳ１２の処理に用いた保険データベースに、これらの内容を追加したものである。保険選択モジュール１３１は、特定したユーザの状況に基づいて、保険データベースに登録されたユーザの状況のうち、この特定したユーザの状況に対応付けられた保険を、特定したユーザの状況に適した保険として選択する。
【００９４】
保険の選択例について説明する。
【００９５】
保険選択モジュール１３１は、ユーザの状況として、車両の運転を特定した場合、保険データベースを参照し、この車両の運転に対応付けられた日割りの自動車保険を選択する。また、自転車やバイクの運転を特定した場合も同様に、保険データベースを参照し、この自転車やバイクの運転に対応付けられた日割りの自転車保険やバイク保険を選択する。
【００９６】
要否問い合わせモジュール１３２は、選択した保険の要否を、ユーザに問い合わせる（ステップＳ３７）。ステップＳ３７の処理は、上述したステップＳ１３の処理と同様である。
【００９７】
要否判断モジュール１３３は、問い合わせの結果に基づいて、保険の要否を判断する（ステップＳ３８）。ステップＳ３８の処理は、上述したステップＳ１４の処理と同様である。
【００９８】
なお、ユーザ端末１００は、予め、保険が不要である入力を受け付けておき、それを問い合わせの結果として用いることも可能である。ユーザ端末１００は、予め、ユーザが運転する予定がない旨の入力を受け付け、この旨を記録しておく。要否判断モジュール１３３は、この記録結果に基づいて、ステップＳ３８の処理を実行する。これは、例えば、ユーザは、知人や家族が運転する車に同乗する場合、保険を契約する必要が無いためである。
【００９９】
ステップＳ３８の処理において、要否判断モジュール１３３は、問い合わせの結果、保険が必要でないと判断した場合（ステップＳ３８  ＮＯ）、すなわち、保険が必要でない旨の入力を受け付けた場合、ユーザ端末１００は、本処理を終了する。
【０１００】
一方、ステップＳ３８の処理において、要否判断モジュール１３３は、問い合わせの結果、保険が必要であると判断した場合（ステップＳ３８  ＹＥＳ）、保険契約モジュール１１１は、選択した保険を契約する（ステップＳ３９）。ステップＳ３９の処理は、上述したステップＳ１５の処理と同様である。
【０１０１】
通知モジュール１３４は、契約した保険に関する情報を、ユーザに通知する（ステップＳ４０）。ステップＳ４０の処理は、上述したステップＳ１６の処理と同様である。
【０１０２】
以上が、第二の保険自動契約処理である。
【０１０３】
上述した手段、機能は、コンピュータ（ＣＰＵ、情報処理装置、各種端末を含む）が、所定のプログラムを読み込んで、実行することによって実現される。プログラムは、例えば、コンピュータからネットワーク経由で提供される（ＳａａＳ：ソフトウェア・アズ・ア・サービス）形態で提供される。また、プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記録装置又は外部記録装置に転送し記録して実行する。また、そのプログラムを、例えば、磁気ディスク、光ディスク、光磁気ディスク等の記録装置（記録媒体）に予め記録しておき、その記録装置から通信回線を介してコンピュータに提供するようにしてもよい。
【０１０４】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【０１０５】
１  保険自動契約システム、１００  ユーザ端末
【図１】
2020179010.tif 000003
【図２】
2020179010.tif 000004
【図３】
2020179010.tif 000005
【図４】
2020179010.tif 000006
【図５】
2020179010.tif 000007
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
ユーザの位置情報を利用するコンピュータシステムであって、
前記位置情報を取得する取得手段と、
取得した前記位置情報に基づいて、前記ユーザが位置する施設及び／又は地域を特定する特定手段と、
特定した前記施設及び／又は地域に適した複数の保険を選択する選択手段と、
選択した前記複数の保険の契約の要否を、所定の順番に基づいてユーザに問い合わせる問い合わせ手段と、
前記問い合わせの結果に基づいて、前記保険を契約する契約手段と、
を備えることを特徴とするコンピュータシステム。
【請求項２】
契約した前記保険に関する情報を、ユーザに通知する通知手段と、
をさらに備えることを特徴とする請求項１に記載のコンピュータシステム。
【請求項３】
前記取得手段は、前記位置情報を所定時間毎に取得し、
前記特定手段は、取得した前記位置情報と当該位置情報の変化量とから前記ユーザの状況を特定し、
前記選択手段は、特定した前記ユーザの状況に適した保険を選択する、
ことを特徴とする請求項１に記載のコンピュータシステム。
【請求項４】
ユーザの位置情報を利用するコンピュータシステムが実行する保険自動契約方法であって、
前記位置情報を取得するステップと、
取得した前記位置情報に基づいて、前記ユーザが位置する施設及び／又は地域を特定するステップと、
特定した前記施設及び／又は地域に適した複数の保険を選択するステップと、
選択した前記複数の保険の契約の要否を、所定の順番に基づいてユーザに問い合わせるステップと、
前記問い合わせの結果に基づいて、前記保険を契約するステップと、
を備えることを特徴とする保険自動契約方法。
【請求項５】
ユーザの位置情報を利用するコンピュータシステムに、
前記位置情報を取得するステップ、
取得した前記位置情報に基づいて、前記ユーザが位置する施設及び／又は地域を特定するステップ、
特定した前記施設及び／又は地域に適した複数の保険を選択するステップ、
選択した前記複数の保険の契約の要否を、所定の順番に基づいてユーザに問い合わせるステップ、
前記問い合わせの結果に基づいて、前記保険を契約するステップ、
を実行させるためのコンピュータ読み取り可能なプログラム。
【手続補正２】
【補正対象書類名】明細書
【補正対象項目名】０００８
【補正方法】変更
【補正の内容】
【０００８】
本発明は、ユーザの位置情報を利用するコンピュータシステムであって、
前記位置情報を取得する取得手段と、
取得した前記位置情報に基づいて、前記ユーザが位置する施設及び／又は地域を特定する特定手段と、
特定した前記施設及び／又は地域に適した複数の保険を選択する選択手段と、
選択した前記複数の保険の契約の要否を、所定の順番に基づいてユーザに問い合わせる問い合わせ手段と、
前記問い合わせの結果に基づいて、前記保険を契約する契約手段と、
を備えることを特徴とするコンピュータシステムを提供する。
【手続補正３】
【補正対象書類名】明細書
【補正対象項目名】０００９
【補正方法】変更
【補正の内容】
【０００９】
本発明によれば、ユーザの位置情報を利用するコンピュータシステムは、前記位置情報を取得し、取得した前記位置情報に基づいて、前記ユーザが位置する施設及び／又は地域を特定し、特定した前記施設及び／又は地域に適した複数の保険を選択し、選択した前記複数の保険の契約の要否を、所定の順番に基づいてユーザに問い合わせ、前記問い合わせの結果に基づいて、前記保険を契約する。
【国際調査報告】
2020179010.tif 000008
2020179010.tif 000009
2020179010.tif 000010
2020179010.tif 000011